(57)【要約】      （修正有）【課題】複数の遊戯台の複数種類の機能阻害の有無を１ヶ所で集中監視する監視システムを容易に構成し得るようにすることにある。【解決手段】遊戯台用信号処理装置４は、遊戯台毎に設けられる複数のセンサーの互いに異なる検出条件をそれぞれ設定する検出条件設定手段４ａと、前記複数のセンサーの検出結果の出力信号に基づき、検出条件設定手段４ａが設定した検出条件の成否を判定する検出条件成否判定手段４ｂと、前記複数のセンサーの検出条件の成否の判定結果を保持し出力する判定結果出力手段４ｃと、を具えてなるものである。【選択図】図２
0003106173.tif 000002
【実用新案登録請求の範囲】
【請求項１】
遊戯台毎に設けられる複数のセンサーの互いに異なる検出条件をそれぞれ設定する検出条件設定手段（４ａ）と、
前記複数のセンサーの検出結果の出力信号に基づき、前記検出条件設定手段が設定した検出条件の成否を判定する検出条件成否判定手段（４ｂ）と、
前記複数のセンサーの検出条件の成否の判定結果を保持し出力する判定結果出力手段（４ｃ）と、
を具えてなる、遊戯台用信号処理装置。
【請求項２】
前記検出条件設定手段（４ａ）は、少なくとも、前記センサーの出力信号のパルスの所定幅と、前記センサーの出力信号のパルスの所定間隔での所定連続回数とを、前記互いに異なる検出条件として設定し、
前記検出条件成否判定手段（４ｂ）は、少なくとも、前記センサーの出力信号のパルスの幅が前記所定幅より大きい場合に検出条件成立と判定するとともに、前記センサーの出力信号のパルスの間隔が前記所定間隔で所定回数以上連続する場合に検出条件成立と判定することを特徴とする、請求項１記載の遊戯台用信号処理装置。
【請求項３】
前記検出条件設定手段（４ａ）は、複数の遊戯台に設けられる複数のセンサーの検出条件を設定し、
前記検出条件成否判定手段（４ｂ）は、前記複数の遊戯台に設けられる前記複数のセンサーの検出結果の出力信号に基づき前記設定した検出条件の成否を判定することを特徴とする、請求項１または請求項２記載の遊戯台用信号処理装置。
【考案の詳細な説明】
【技術分野】
【０００１】
この考案は、複数の遊戯台に対する故意による機能阻害の検出、機能阻害の種類判定、機能阻害の同時監視、および警報発信を行う監視システムを構成するために用いられ、複数センサーの互いに異なる検出条件を判定してその結果を出力する遊戯台用信号処理装置に関するものである。
【背景技術】
【０００２】
従来、遊戯台1台毎に各機能阻害の種類に対応する機能阻害検出判定装置を複数個取り付け、遊戯台に対する複数種類の故意による機能阻害の有無を、各遊戯台まで作業者が行き、そこに取り付けた各機能阻害検出判定装置の出力結果を個別に見て判定していた。
【考案の開示】
【考案が解決しようとする課題】
【０００３】
従来の遊戯台に対する故意による機能阻害検出判定装置では、１台の遊戯台に機能阻害の種類に対応した機能阻害検出判定装置を複数個独立して取り付ける必要があり、複数の遊戯台の複数種類の機能阻害の有無を１ヶ所で集中監視する監視システムの構成に適さなかった。
【課題を解決するための手段】
【０００４】
上記の課題を有利に解決するこの考案の遊戯台用信号処理装置は、遊戯台毎に設けられる複数のセンサーの互いに異なる検出条件をそれぞれ設定する検出条件設定手段と、前記複数のセンサーの検出結果の出力信号に基づき、前記検出条件設定手段が設定した検出条件の成否を判定する検出条件成否判定手段と、前記複数のセンサーの検出条件の成否の判定結果を保持し出力する判定結果出力手段と、を具えてなるものである。
【考案の効果】
【０００５】
かかる本考案の遊戯台用信号処理装置にあっては、検出条件設定手段が、遊戯台毎に設けられる複数のセンサーの互いに異なる検出条件をそれぞれ設定し、検出条件成否判定手段が、前記複数のセンサーの検出結果の出力信号に基づき、前記検出条件設定手段が設定した検出条件の成否を判定し、判定結果出力手段が、前記複数のセンサーの検出条件の成否の判定結果を保持し出力する。
【０００６】
従って、本考案の遊戯台用信号処理装置によれば、各遊戯台まで作業者が行かなくても、上記判定結果出力手段が各遊戯台について出力する判定結果を複数の遊戯台について１ヶ所に集めて確認するだけで、複数の遊戯台の各々についての複数種類の故意による機能阻害の有無を知ることができるので、複数の遊戯台の複数種類の機能阻害の有無を１ヶ所で集中監視する監視システムを容易に構成することができる。
【０００７】
なお、本考案の遊戯台用信号処理装置においては、前記検出条件設定手段は、少なくとも、前記センサーの出力信号のパルスの所定幅と、前記センサーの出力信号のパルスの所定間隔での所定連続回数とを、前記互いに異なる検出条件として設定するものであり、前記検出条件成否判定手段は、少なくとも、前記センサーの出力信号のパルスの幅が前記所定幅より大きい場合に検出条件成立と判定するとともに、前記センサーの出力信号のパルスの間隔が前記所定間隔で所定回数以上連続する場合に検出条件成立と判定するものであっても良い。
【０００８】
このようにすれば、ある種類の故意による機能阻害により、遊戯台の正規の使用方法で所定センサーが出力する信号のパルス幅よりそのセンサーの出力信号のパルス幅が大きくなった場合に、その機能阻害を検出し得るとともに、他のある種類の故意による機能阻害により、遊戯台の正規の使用方法で所定センサーが出力するパルスと異なりそのセンサーの出力信号のパルスが所定間隔で所定回数以上が連続する場合に、その機能阻害を検出することができる。
【０００９】
また、本考案の遊戯台用信号処理装置においては、前記検出条件設定手段は、複数の遊戯台に設けられる複数のセンサーの検出条件を設定するものであり、前記検出条件成否判定手段は、前記複数の遊戯台に設けられる前記複数のセンサーの検出結果の出力信号に基づき前記設定した検出条件の成否を判定するものであっても良い。
【００１０】
このようにすれば、それぞれ一つの検出条件設定手段および検出条件成否判定手段で複数の遊戯台の複数のセンサーからの出力信号についてそれぞれ検出条件の成否を判定できるので、遊戯台が多数の場合に、それらの遊戯台についての複数種類の機能阻害の有無を１ヶ所で集中監視する監視システムをより簡易に構成することができる。
【考案を実施するための最良の形態】
【００１１】
以下、本考案の実施の形態を実施例によって、図面に基づき詳細に説明する。ここに、図１は、本考案の遊戯台用信号処理装置の一実施例を用いた監視システムを例示する構成図、図２は、上記実施例の遊戯台用信号処理装置を示す構成図である。
【００１２】
この例の監視システムは、各々スロットマシンからなるＮｏ．１〜Ｎｏ．３２までの３２台の遊戯台１に対する故意による機能阻害を集中的に監視するためのもので、図１に示すように、３２台の遊戯台１を各グループ８台ずつとしてグループＧ１〜Ｇ４の４つのグループに纏めるとともに、各遊戯台１に、例えば一方はコインの通過を検出し、他方はドラム停止ボタンの押圧操作を検出するというように、互いに異なる検出条件で使用するセンサー２およびセンサー３を取り付け、それら各遊戯台１につき二個ずつのセンサー２，３をそれぞれ、グループＧ１〜Ｇ４につき１グループ毎に設けた上記実施例の遊戯台用信号処理装置４にセンサーケーブル５を介して接続する。
【００１３】
グループＧ１〜Ｇ４の４台の遊戯台用信号処理装置４は通信ケーブル６および電源ケーブル７を介して相互に直列に接続し、グループＧ４の遊戯台用信号処理装置４の通信ケーブル６の一方は終端装置８に接続し、グループＧ１の遊戯台用信号処理装置４の通信ケーブル６の一方は集中監視用の通常のパーソナルコンピュータ（パソコン）９に内蔵した信号伝送システムインタフェース（例えばステップテクニカ社製の商品名HLS-C/S）９ａに接続し、グループＧ１の遊戯台用信号処理装置４の電源ケーブル７は通常の電源ユニット１０に接続する。
【００１４】
グループＧ１〜Ｇ４の４台の遊戯台用信号処理装置４は、互いに同一の構成を具えており、例えばグループＧ１の遊戯台用信号処理装置４について代表で説明すると、図２に示すように、検出条件設定手段としての検出条件設定部４ａと、検出条件成否判定手段としての検出条件成否判定部４ｂと、判定結果出力手段としての判定結果出力部４ｃと、信号伝送システムインタフェース（例えばステップテクニカ社製の商品名HLS-C/S）４ｄとを具えている。
【００１５】
ここで、検出条件設定部４ａは、グループＧ１の８台の遊戯台１について共通に、センサー２，３の互いに異なる検出条件としての、例えば遊戯台の通常の使用状態で生ずるものとしてあらかじめ定められたパルス幅の基準値と、遊戯台の通常の使用状態で生ずるものとしてあらかじめ定められたパルス間隔および回数の基準値とをそれぞれ保持する、パルス幅基準値保持部４ｅとパルス間隔および回数基準値保持部４ｆとを有している。
【００１６】
また検出条件成否判定部４ｂは、８台の遊戯台１の各々についてＮｏ．（番号）を識別しつつセンサー２，３の各々につきその出力信号のパルスの立ち上がりと立ち下がりとを保持してそれらの間の時間間隔を測ることでパルス幅を検出し、その検出値を保持するパルス幅検出値保持部４ｇと、そのパルス幅検出値保持部４ｇが保持する検出値とパルス幅基準値保持部４ｅが保持する基準値とを比較して検出値が基準値を超えた場合にその超えた旨の判定結果を保持するパルス幅判定結果保持部４ｈと、８台の遊戯台１の各々についてＮｏ．（番号）を識別しつつセンサー２，３の各々につきその出力信号のパルスの立ち上がりと立ち下がりとを保持してそれらの間の時間間隔とそれらの回数とを測ることでパルス間隔およびパルス回数を検出し、その検出値を保持するパルス間隔および回数検出値保持部４ｉと、そのパルス間隔および回数検出値保持部４ｉが保持する検出値とパルス間隔および回数基準値保持部４ｆが保持する基準値とを比較してパルス間隔の検出値がパルス間隔の基準値に実質的に等しくてかつパルス回数の検出値が基準値を超えた場合にその超えた旨の判定結果を保持するパルス間隔判定結果保持部４ｊとを有している。
【００１７】
そして判定結果出力部４ｃは、パルス幅判定結果保持部４ｈが上記超えた旨の判定結果を保持している場合にその判定結果とそれが生じたセンサー２を持つ遊戯台１のＮｏ．とをパルス幅の機能阻害符号として信号伝送システムインタフェース４ｄへ出力するパルス幅の機能阻害符号出力部４ｋと、パルス間隔判定結果保持部４ｊが上記超えた旨の判定結果を保持している場合にその判定結果とそれが生じたセンサー３を持つ遊戯台１のＮｏ．とをパルス間隔の機能阻害符号として信号伝送システムインタフェース４ｄへ出力するパルス間隔の機能阻害符号出力部４ｌとを有している。なお、この実施例では具体的には、上記検出条件設定部４ａと検出条件成否判定部４ｂと判定結果出力部４ｃとを、あらかじめ与えられたプログラムに従って作動するいわゆるワンチップマイクロコンピューター４ｍで構成している。
【００１８】
一方、パーソナルコンピュータ９は、図１に示すように、上述したパルス幅の機能阻害符号とパルス間隔の機能阻害符号との少なくとも一方を入力した場合に、遊戯台１に対する故意による機能阻害が発生したと判断して警報を発するため、携帯電話１１を接続した携帯電話インタフェース９ｂおよび、警報ブザー９ｃを具えている。そしてパーソナルコンピュータ９は、故意による機能阻害が発生したと判断した場合にその機能阻害が発生した遊戯台１のグループ名、遊戯台Ｎｏ．および機能阻害の種類をパーソナルコンピュータ９自身のディスプレイに表示するとともに携帯電話１１のディスプレイにも表示する。
【００１９】
上記実施例の遊戯台用信号処理装置４を用いた上記例の監視システムによれば、遊戯台Ｎｏ．１から遊戯台Ｎｏ．３２までの３２台の遊戯台１に対する故意による２種類の機能阻害の検出および、その機能阻害の種類判定を1ヶ所のパーソナルコンピュータ９で集中的に監視し、３２台の遊戯台１の何れかに対する機能阻害の検出時には警報を発することができる。
【００２０】
以上、図示例に基づき説明したが、本考案の遊戯台用信号処理装置は、上述の例に限定されるものでなく、実用新案登録請求の範囲に記載の範囲内で当業者であれば適宜変更することができるものである。例えば本考案では、遊戯台用信号処理装置４を各遊戯台１毎に設けても良く、また各遊戯台１にセンサーを３つ以上設けても良い。さらに遊戯台のセンサーは上記例と異なる物や状況を検出しても良く、またパーソナルコンピュータ９は複数の遊戯台用信号処理装置４の検出条件設定部４ａに対しそれぞれセンサー毎の検出条件のデータを送って、それらの検出条件設定部４ａが設定する検出条件を一括してあるいは遊戯台毎やグループ毎に追加または変更するようにしても良い。そして遊戯台１はパチンコ台であっても良い。
【産業上の利用可能性】
【００２１】
本考案の遊戯台用信号処理装置によれば、複数の遊戯台に対する複数種類の機能阻害の有無すなわち機能阻害の検出およびその検出した機能阻害の種類判定を１ヶ所で集中監視する監視システムを容易に構成することができる。
【図面の簡単な説明】
【００２２】
【図１】本考案の遊戯台用信号処理装置の一実施例を用いた監視システムを例示する構成図である。
【図２】上記実施例の遊戯台用信号処理装置を示す構成図である。
【符号の説明】
【００２３】
１  遊戯台
２，３  センサー
４  遊戯台用信号処理装置
４ａ  検出条件設定部
４ｂ  検出条件成否判定部
４ｃ  判定結果出力部
４ｄ  信号伝送システムインタフェース
４ｅ  パルス幅基準値保持部
４ｆ  パルス間隔および回数基準値保持部
４ｇ  パルス幅検出値保持部
４ｈ  パルス幅判定結果保持部
４ｉ  パルス間隔および回数検出値保持部
４ｊ  パルス間隔判定結果保持部
４ｋ  パルス幅の機能阻害符号出力部
４ｌ  パルス間隔の機能阻害符号出力部
５  センサーケーブル
６  通信ケーブル
７  電源ケーブル
８  終端装置
９  パーソナルコンピュータ（パソコン）
９ａ  信号伝送システムインタフェース
９ｂ  携帯電話インタフェース
９ｃ  警報ブザー
１０  電源ユニット
１１  携帯電話
【図１】
0003106173.tif 000003
【図２】
0003106173.tif 000004